(57)【要約】【課題】収納箱内のロール体からシート状物を円滑に引き出すことができる、ロール体保持機構を、提供すること。【解決手段】ロール体３の円筒体３２の両端部３２１に取り付けられた状態で、収納箱内に収納される、一対の保持具４を、備えており、保持具４は、収納箱の縦断面空間に嵌合する形態を、有しており、且つ、縦断面中央部に、円筒体３２の端部３２１が摺接可能に内嵌する貫通孔４１を、有している、ことを特徴としている。【選択図】図４
2010076782.tif 000002
【特許請求の範囲】
【請求項１】
円筒体にシート状物が巻き付けられてなり、且つ、巻き付けられたシート状物から円筒体の両端部が突出している、ロール体を、開閉蓋を有する直方体状の収納箱内に、保持するための、ロール体保持機構であって、
上記ロール体の上記円筒体の上記両端部に取り付けられた状態で、上記収納箱内に収納される、一対の保持具を、備えており、
上記保持具は、上記収納箱の縦断面空間に嵌合する形態を、有しており、且つ、縦断面中央部に、上記円筒体の上記端部が摺接可能に内嵌する貫通孔を、有している、
ことを特徴とする、ロール体保持機構。
【請求項２】
円筒体にシート状物が巻き付けられてなり、且つ、巻き付けられたシート状物から円筒体の両端部が突出している、ロール体を、収納するとともに、請求項１記載のロール体保持機構によって保持する、ロール体収納箱であって、
開閉蓋を有する直方体状の収納箱からなり、
上記収納箱の内部の長手方向長さが、両端部に上記保持具が取り付けられた上記ロール体が嵌合するような長さに、設定されている、
ことを特徴とする、ロール体収納箱。
【請求項３】
上記収納箱が、開閉蓋と箱本体とからなっており、
上記箱本体が、中空の直方体において上面が開放した形態を、有しており、底面部と、長手方向両側の側面部と、前面部と、後面部と、からなっており、
上記前面部の上縁部分が、所定の高さ寸法だけ切除されている、請求項２記載のロール体収納箱。
【発明の詳細な説明】
【技術分野】
【０００１】
本発明は、円筒体にシート状物が巻き付けられてなるロール体を、開閉蓋を有する直方体状の収納箱内に、保持するための、ロール体保持機構、及び、そのロール体保持機構を備えたロール体収納箱、に関するものである。
【背景技術】
【０００２】
ロール体保持機構は、収納箱内に収納されたロール体からシート状物を引き剥がしながら収納箱外に引き出す際に、ロール体を収納箱内に保持するための、機構である。このようなロール体保持機構としては、例えば特許文献１〜４に記載の機構が知られている。
【特許文献１】実開昭６２−５８３３２号
【特許文献２】実開昭６２−９９５１６号
【特許文献３】実開昭６３−１９４１３１号
【特許文献４】実開平２−１３８６５４号
【発明の開示】
【発明が解決しようとする課題】
【０００３】
特許文献１〜４のロール体保持機構においては、収納箱内におけるロール体の保持が十分ではなかった。すなわち、シート状物を引き出す際に、ロール体が、回転しながら収納箱の内面と接触するために、収納箱内で前後や上下に動き、不安定であった。このため、次のような問題が生じていた。
（１）シート状物をロール体から円滑に引き剥がすことができず、その結果、シート状物を収納箱から円滑に引き出すことができない。
（２）ロール体の逆回転が生じ、そのために、シート状物の切り取り口が収納箱内に巻き戻され、シート状物を引き出すのが困難となる。
（３）ロール体が不用意に回転して、シート状物が余分に引き出される。
【０００４】
本発明は、上記のような問題点を解消できる、ロール体保持機構及びロール体収納箱を、提供することを目的とする。
【課題を解決するための手段】
【０００５】
本発明のロール体保持機構は、円筒体にシート状物が巻き付けられてなり、且つ、巻き付けられたシート状物から円筒体の両端部が突出している、ロール体を、開閉蓋を有する直方体状の収納箱内に、保持するための、ロール体保持機構であって、上記ロール体の上記円筒体の上記両端部に取り付けられた状態で、上記収納箱内に収納される、一対の保持具を、備えており、上記保持具は、上記収納箱の縦断面空間に嵌合する形態を、有しており、且つ、縦断面中央部に、上記円筒体の上記端部が摺接可能に内嵌する貫通孔を、有している、ことを特徴としている。
【０００６】
本発明のロール体収納箱は、円筒体にシート状物が巻き付けられてなり、且つ、巻き付けられたシート状物から円筒体の両端部が突出している、ロール体を、収納するとともに、請求項１記載のロール体保持機構によって保持する、ロール体収納箱であって、開閉蓋を有する直方体状の収納箱からなり、上記収納箱の内部の長手方向長さが、両端部に上記保持具が取り付けられた上記ロール体が嵌合するような長さに、設定されている、ことを特徴としている。
【０００７】
本発明のロール体収納箱は、更に、以下の構成を採用するのが好ましい。
（Ａ）上記収納箱が、開閉蓋と箱本体とからなっており、上記箱本体が、中空の直方体において上面が開放した形態を、有しており、底面部と、長手方向両側の側面部と、前面部と、後面部と、からなっており、上記前面部の上縁部分が、所定の高さ寸法だけ切除されている。
【発明の効果】
【０００８】
本発明のロール体保持機構においては、ロール体は、収納箱内の縦断面の中央において、収納箱の上下の内面及び前後の内面に接することなく、回転する。それ故、ロール体は、上下や前後に動くことなく、安定した状態で回転する。したがって、本発明によれば、シート状物を、ロール体から円滑に引き剥がして、収納箱から円滑に引き出すことができる。
【０００９】
本発明のロール体収納箱において、ロール体は、収納箱内において長手方向に移動不能であるので、左右に動くことなく、安定した状態で回転する。したがって、本発明によれば、シート状物を、ロール体から円滑に引き剥がして、収納箱から円滑に引き出すことができる。
【００１０】
上記構成（Ａ）においては、シート状物を、収納箱外へ引き出す際に、上記前面部の切除部分を通して引き出すことができる。それ故、シート状物を、上記前面部の上縁に接触させることなく、円滑に引き出すことができる。したがって、上記構成（Ａ）によれば、シート状物を収納箱外へ円滑に引き出すことができる。
【発明を実施するための最良の形態】
【００１１】
図１及び図２は、本発明のロール体保持機構を備えた、本発明のロール体収納箱の、斜視図である。この収納箱１内では、ロール体３がロール体保持機構によって保持されている。図１は、収納箱１が閉じた状態を示しており、図２は、収納箱１が開いた状態を示している。収納箱１は、直方体状の形態を有しており、一般的には、紙製であり、箱本体１１と、開閉可能な蓋体（開閉蓋）１２と、からなっている。なお、両図においては、シート状物３１が、ロール体３から引き剥がされて、収納箱１から少しだけ引き出されている。
【００１２】
箱本体１１は、中空の直方体において上面が開放した形態を、有しており、底面部１１１と、長手方向両側の側面部１１２、１１３と、前面部１１４と、後面部１１５と、からなっている。蓋体１２は、箱本体１１の開放面を塞ぐ上面部１２１と、長手方向両側の側面部１２２、１２３と、前面部１２４と、からなっている。
【００１３】
蓋体１２は、上面部１２１の後縁１２１１にて、箱本体１１の後面部１１５の上縁１１５１に連結している。蓋体１２は、後縁１２１１にて前側に折り曲げることにより、箱本体１１を上方から覆うようになっている。箱本体１１が蓋体１２によって上方から覆われた状態が、図１の状態である。図１の状態において、蓋体１２の両側面部１２２、１２３は、それぞれ、箱本体１１の両側面部１１２、１１３の外側に位置しており、また、前面部１２４は、前面部１１４の外側に位置している。蓋体１２の前面部１２４の下縁１２４１には、シート状物３１を切り裂くための刃（図示せず）が設けられている。
【００１４】
図３は、収納箱１からロール体３を取り出した状態の斜視図である。ロール体３には、ロール体保持機構が取り付けられている。すなわち、図３に示されるように、ロール体３の両端部３２１には、一対の保持具４が取り付けられている。ここでは、この一対の保持具４がロール体保持機構を構成している。図４は、ロール体３から保持具４を取り外した状態の斜視図である。図５は、図１のＶ−Ｖ断面図であり、図６は、図２のVI矢視図である。
【００１５】
ロール体３は、円筒体３２と、円筒体３２に巻き付けられたシート状物３１と、からなっている。円筒体３２は、一般的には、紙製である。シート状物３１は、例えば食品ラップ用フィルムである。円筒体３２の両端部３２１は、シート状物３１から突出している。
【００１６】
保持具４は、好ましくはプラスチック製の透明な、縦板部材からなっており、収納箱１の縦断面空間に嵌合する形態を、有している。具体的には、図７に示されるように、収納箱１の縦断面空間１０に嵌合する側面視（Ａ矢視）矩形の形態を、有している。更に、保持具４は、縦断面中央部に貫通孔４１を有している。貫通孔４１は、円筒体３２の端部３２１が摺接可能に内嵌する、寸法及び形態を、有している。
【００１７】
図５及び図６に示されるように、保持具４は、貫通孔４１をロール体３の円筒体３２の端部３２１に外嵌させることによって、ロール体３の端部に取り付けられている。このとき、保持具４は、円筒体３２の端縁にて垂直となっている。そして、図２に示されるように、ロール体３は、両端部３２１に保持具４が取り付けられた状態で、収納箱１内に収容されている。
【００１８】
図５では、収納箱１を一点鎖線で示している。図５からわかるように、収納箱１内に収納されたロール体３は、両保持具４によって、収納箱１内の上下方向中央部に、浮いた状態で、すなわち、収納箱１の上下の内面（すなわち底面部１１１及び上面部１２１の内面）に接触しない状態で、保持されている。また、図６からわかるように、収納箱１内に収納されたロール体３は、両保持具４によって、収納箱１内の前後方向中央部に、浮いた状態で、すなわち、収納箱１の前後の内面（すなわち前面部１１４及び後面部１１５の内面）に接触しない状態で、保持されている。したがって、両端部３２１に保持具４が取り付けられた状態で収納箱１内に収納されたロール体３は、両保持具４によって、収納箱１内において浮いた状態で保持されている。
【００１９】
上記構成の収納箱１では、シート状物３１を、図１に示されるように必要な長さだけ収納箱１外に引き出して、蓋体１２の前面部１２４の下縁１２４１の刃によって切断して、使用する。
【００２０】
ところで、上記構成の収納箱１において、シート状物３１を引き出す際には、ロール体３は、収納箱１内において両保持具４の貫通孔４１内を矢印Ｒ方向（図２）に回転する。すなわち、ロール体３は、収納箱１内の縦断面の中央において、収納箱１の上下の内面及び前後の内面に接することなく、回転する。それ故、ロール体３は、上下や前後に動くことなく、安定した状態で回転する。したがって、上記構成の収納箱１においては、シート状物３を、ロール体３から円滑に引き剥がして、収納箱１から円滑に引き出すことができる。
【００２１】
しかも、上記構成の収納箱１においては、図３に示されるように、収納箱１の箱本体１１の内部の長手方向長さＬ２は、両端部３２１に保持具４が取り付けられたロール体３の長手方向長さＬ１と同じに、設定されている。そのため、両端部３２１に保持具４が取り付けられたロール体３は、長手方向において収納箱１内に嵌合する。それ故、ロール体３は、収納箱１内において長手方向に移動不能であるので、左右に動くことなく、安定した状態で回転する。したがって、この点からも、上記構成の収納箱１においては、シート状物３を、ロール体３から円滑に引き剥がして、収納箱１から円滑に引き出すことができる。
【００２２】
なお、本発明のロール体収納箱１においては、図８に示されるように、箱本体１１の前面部１１４の上縁部分が所定の高さ寸法Ｈだけ切除されるのが、好ましい。この構成においては、シート状物３１を、収納箱１外へ引き出す際に、前面部１１４の切除部分１１４０を通して引き出すことができる。それ故、シート状物３１を、略横方向へ引き出すことができ、すなわち、前面部１１４の上縁１１４１（図２）に接触させることなく、円滑に引き出すことができる。したがって、この構成によれば、シート状物３１を収納箱１外へ円滑に引き出すことができる。なお、切除部分１１４０を有する前面部１１４の上縁部は、帯状の紙等の硬質材１１４２によって、補強するのが、好ましい。
【産業上の利用可能性】
【００２３】
本発明は、収納箱内のロール体からシート状物を円滑に引き出すことができるので、産業上の利用価値が大である。
【図面の簡単な説明】
【００２４】
【図１】本発明のロール体収納箱の、閉じた状態を示す、斜視図である。
【図２】本発明のロール体収納箱の、開いた状態を示す、斜視図である。
【図３】図２の収納箱からロール体を取り出した状態の斜視図である。
【図４】図３のロール体から保持具を取り外した状態の斜視図である。
【図５】図１のＶ−Ｖ断面図である。
【図６】図２のVI矢視図である。
【図７】保持具を収納箱に収納した状態を示す斜視図である。
【図８】本発明のロール体収納箱の別の例の、図２に相当する図である。
【符号の説明】
【００２５】
１  収納箱  １１  箱本体  １１１  底面部  １１２、１１３  側面部  １１４  前面部  １１５  後面部  １２  蓋体  ３  ロール体  ３１  シート状物  ３２  円筒体  ３２１  端部  ４  保持具  ４１  貫通孔
【図１】
2010076782.tif 000003
【図２】
2010076782.tif 000004
【図３】
2010076782.tif 000005
【図４】
2010076782.tif 000006
【図５】
2010076782.tif 000007
【図６】
2010076782.tif 000008
【図７】
2010076782.tif 000009
【図８】
2010076782.tif 000010